(57)【要約】 【課題】  無線端末の消費電流の低減等を図る。【解決手段】  無線端末１２において、セルリセルに先立って行われるセルサーチをＣＰＵ１８の制御の下にセルリセル履歴から算定された遷移確率に基づいて決まる回数で行い、そのサーチで電界強度が大きい未検出セルをモニターセルに組み入れる。また、セル測定においても、同様に、ＣＰＵ１８の制御の下にセルリセル履歴から算定された遷移確率に基づいて決まる回数で行い、そのセル測定で電界強度が小さくなったモニターセルをモニターセルから外す。セルサーチ及びセル測定の回数の低減となり、無線端末１２での消費電流を低減できる。【選択図】      図１
2006165972.tif 000002
【特許請求の範囲】
【請求項１】
移動無線装置が圏在するアクティブセルのセルリセルを行うのに先立って、前記周辺セルの電波状態をモニターする電波状態モニター方法であって、
前記アクティブセルのセルリセル履歴の統計処理を含むことを特徴とする電波状態モニター方法。
【請求項２】
移動無線装置が圏在するアクティブセルのセルリセルを行うのに先立って、前記周辺セルの電波状態をモニターする電波状態モニター方法であって、
前記アクティブセルのセルリセル履歴を統計処理し、
前記統計処理に基づいて前記アクティブセル周辺のセル毎のモニター頻度情報を算定し、
前記アクティブセル周辺の前記セルの電波状態のモニターを前記モニター頻度情報に基づいて決められる頻度で行うことを特徴とする電波状態モニター方法。
【請求項３】
前記統計処理は、今回の前記セルリセル前の第１の所定回数の各回の前記セルリセルについて行うことを特徴とする請求項１又は２記載の電波状態モニター方法。
【請求項４】
前記統計処理は、前前回及び前回の前記セルリセルについて行うことを特徴とする請求項３記載の電波状態モニター方法。
【請求項５】
前記統計処理は、前記セルリセル毎に、前回アクティブセル、今回アクティブセル及び前記前回アクティブセル周辺のセルについては所定の順序で処理されることを特徴とする請求項３又は４記載の電波状態モニター方法。
【請求項６】
前記モニター頻度情報は、前回の前記アクティブセル及び今回の前記アクティブセルで前記統計処理を参照して算定することを特徴とする請求項３、４又は５記載の電波状態モニター方法。
【請求項７】
前記モニター頻度情報は、前前回の前記アクティブセル及び前回の前記アクティブセルで前記統計処理を参照し、前記アクティブセル周辺の各セルのセルリセル総数に対する前記アクティブセル周辺の前記セル毎のセルリセル数から算定される遷移確率であることを特徴とする請求項６記載の電波状態モニター方法。
【請求項８】
前記統計処理は、通話中の前記セルリセルをアクティブセル群内の電波状態が最もよい前記アクティブセルへ行うようにし、当該セルリセル毎に今回の前記セルリセル前の第１の所定回数の各回の前記セルリセルについて行ことを特徴とする請求項１又は２記載の電波状態モニター方法。
【請求項９】
前記統計処理は、通話中の前記セルリセルをアクティブセル群内の電波状態が最もよい前記アクティブセルへ行うようにし、当該セルリセル毎に今回の前記セルリセル前の前前回及び前回の前記セルリセルについて行うことを特徴とする請求項８記載の電波状態モニター方法。
【請求項１０】
前記モニター頻度情報は、前回の前記アクティブセル及び今回の前記アクティブセルで前記統計処理を参照して算定することを特徴とする請求項８又は９記載の電波状態モニター方法。
【請求項１１】
電波状態が最もよい前記アクティブセルがあるとき、前記周辺セルのアクティブセルへの組み入れの際に、前記モニター頻度情報の値が最も高い前記周辺セルについての電波状態のしきい値を下げることを特徴とする請求項８、９又は１０記載の電波状態モニター方法。
【請求項１２】
電波状態が最もよい前記アクティブセルがあるとき、前記未検出セルの周辺セルへの組み入れの際に、前記モニター頻度情報の値が最も高い前記未検出セルについての電波状態のしきい値を下げることを特徴とする請求項８、９又は１０記載の電波状態モニター方法。
【請求項１３】
移動無線装置が圏在するアクティブセルのセルリセルを行うのに先立って、前記周辺セルの電波状態をモニターする電波状態モニター装置であって、
前記アクティブセルのセルリセル履歴の統計処理手段を含むことを特徴とする電波状態モニター装置。
【請求項１４】
移動無線装置が圏在するアクティブセルのセルリセルを行うのに先立って、前記周辺セルの電波状態をモニターする電波状態モニター装置であって、
前記アクティブセルのセルリセル履歴の統計処理手段と、
該統計処理手段によって得られた前記統計処理に基づいて前記アクティブセル周辺のセル毎のモニター頻度情報を算定する算定手段と、
前記アクティブセル周辺の前記セルの電波状態のモニターを、前記算定手段によって算定された前記モニター頻度情報に基づいて決められる頻度で行うモニター実行手段とを備えることを特徴とする電波状態モニター装置。
【請求項１５】
前記統計処理手段は、前前回及び前回の前記セルリセルについて統計処理を行うことを特徴とする請求項１３又は１４記載の電波状態モニター装置。
【請求項１６】
前記算定手段は、前回の前記アクティブセル及び今回の前記アクティブセルで前記統計処理を参照して前記モニター頻度情報を算定することを特徴とする請求項１５記載の電波状態モニター装置。
【請求項１７】
前記算定手段により算定される前記モニター頻度情報は、前記統計処理手段によって求められた前記統計処理を参照し、前記アクティブセル周辺の各セルのセルリセル総数に対する前記アクティブセル周辺の前記セル毎のセルリセル数から算定される遷移確率であることを特徴とする請求項１６記載の電波状態モニター装置。
【請求項１８】
前記統計処理手段は、通話中の前記セルリセルをアクティブセル群内の電波状態が最もよい前記アクティブセルへ行うようにし、当該セルリセル毎に今回の前記セルリセル前の前前回及び前回の前記セルリセルについて前記統計処理を行うことを特徴とする請求項１３、１４又は１５記載の電波状態モニター装置。
【請求項１９】
前記算定手段は、前回の前記アクティブセル及び今回の前記アクティブセルで前記統計処理を参照して前記モニター頻度情報を算定することを特徴とする請求項１８記載の電波状態モニター装置。
【請求項２０】
前記モニター実行手段は、電波状態が最もよい前記アクティブセルがあるとき、前記周辺セルのアクティブセルへの組み入れの際に、前記モニター頻度情報の値が最も高い前記周辺セルについての電波状態のしきい値を下げることを特徴とする請求項１８又は１９記載の電波状態モニター装置。
【請求項２１】
前記モニター実行手段は、電波状態が最もよい前記アクティブセルがあるとき、前記未検出セルの周辺セルへの組み入れの際に、前記モニター頻度情報の値が最も高い前記未検出セルについての電波状態のしきい値を下げることを特徴とする請求項２０又は２１記載の電波状態モニター装置。
【請求項２２】
移動無線装置が圏在するアクティブセル周辺のセルの電波状態をモニターして前記アクティブセルのセルリセルを行うセルリセル方法であって、
前記セルの電波状態をモニターするのに請求項1乃至１２のいずれか一に記載の電波状態モニター方法を用いることを特徴とするセルリセル方法。
【請求項２３】
移動無線装置が圏在するアクティブセル周辺のセルの電波状態をモニターして前記アクティブセルのセルリセルを行うセルリセル装置であって、
前記セルの電波状態をモニターするのに請求項１３乃至２１のいずれか一に記載の電波状態モニター装置を用いることを特徴とするセルリセル装置。
【請求項２４】
移動無線システムを構成する複数のセルのうちの任意のセルの基地局と無線通信を行う際に必要なセルリセル手段を有する移動無線装置であって、前記セルリセル手段を請求項２３記載のセルリセル装置で構成することを特徴とする移動無線装置。
【請求項２５】
コンピュータに請求項１乃至１２のいずれか一に記載の電波状態モニター方法を実行させることを特徴とする制御プログラム。
【請求項２６】
コンピュータに請求項１３乃至２１のいずれか一に記載の電波状態モニター装置を制御させることを特徴とする制御プログラム。
【請求項２７】
コンピュータに請求項２２記載のセルリセル方法を実行させることを特徴とする制御プログラム。
【請求項２８】
コンピュータに請求項２３記載のセルリセル装置を制御させることを特徴とする制御プログラム。
【請求項２９】
コンピュータに請求項２４記載の移動無線装置を制御させることを特徴とする制御プログラム。
【発明の詳細な説明】
【技術分野】
【０００１】
この発明は、電波状態モニター方法及びその装置、これを用いたセルリセル方法及びその装置、移動無線装置並びにその制御プログラムに関し、詳しくは電波状態のモニターを過去のセルリセル履歴に応じて行う電波状態モニター方法及びその装置、これを用いたセルリセル方法及びその装置、移動無線装置並びにその制御プログラムに関する。
【背景技術】
【０００２】
移動無線システムにおいては、従来から移動無線端末装置が或る基地局から遠去ざかる方向へ移動して隣りの基地局に接近して行くとき、上記或る基地局から上記隣の基地局への切り替え、すなわち、ハンドオーバーが行われることは周知である。
【０００３】
例えば、ＷＣＤＭＡ無線システムの場合の例（以下、ＷＣＤＭＡ無線システム例という）を図１１参照の下に説明する。
小型無線端末装置が、セルＡ内にあってアクティブセル（小型無線端末装置が位置登録をしたセル）がセルＡであるとする。アクティブセルＡの基地局から送られて来る報知情報を下にして、小型無線端末装置は、周辺セルとなるセルＢ、Ｃ、Ｄ、Ｅ、Ｆ、Ｇをモニターする。これら周辺セルのうちの、既に検出済みのセルについてはセルの測定を行い、未検出セルについてはセルサーチを行う。
【０００４】
この状態において、小型無線端末装置がセルＡからセルＣの方へ移動して行くとすると、セルＡの基地局から受信する電波の電界強度は次第に弱まる一方、セルＣの基地局から受信する電波の電界強度は次第に強まる。
遂には、両セルの電界強度は逆転する。そのとき、アクティブセルがセルＡからセルＣへ入れ替えられるセルリセルが行われる。
【０００５】
また、上述のハンドオーバーを行う技法は、種々提案されている。その１つは、特許文献１に記載されている。
【０００６】
特許文献１に記載される技法は、従来のハンドオーバーでは、周辺の基地局（通信装置）からの受信電力が所定値以上に大きくなったとしても、現在の基地局からの受信電力がハンドオーバーをする必要がないほど十分に大きな値にあれば、周辺の基地局へのハンドオーバーを生じさせない技法である。これにより、不必要なハンドオーバー動作を抑制し、無線資源の有効利用を図ると共に、ハンドオーバーの制御に費やされる基地局及び移動無線端末装置（移動局）の負担を軽減させている。
その技法において、基地局で保持している過去の移動局情報の履歴と移動局から通知される移動局情報とに基づいてハンドオーバー先の基地局を選定することも開示されている。これは、ハンドオーバー先の基地局の選定をより的確にしてハンドオーバーの成功率を向上させるための手段である。
【０００７】
また、他の技法として、特許文献２に記載されたものがある。
その技法は、特許文献３及び特許文献４に開示される技術的課題を解決するべく開発された技法である。すなわち、特許文献３では過去に移動局が在圏したか否かの情報のみに基づく在圏履歴を考慮に入れているが、移動局の移動方向が考慮されていないこと、また、特許文献４では移動局が移動するセルの予測を過去に移動したセル情報のみに基づいて行っており、移動局の移動方向を考慮に入れていないことの解決に、移動局のセルに対する進入及び進出の履歴に基づいて移動局が登録されるべき位置登録エリアを決定する手段を採用している。
【０００８】
また、特許文献５には、通信履歴をハンドオーバーに利用した技術が開示されている。その技術は、通信履歴のハンドオーバー情報と現在のハンドオーバー情報との一致でハンドオーバーを停止し、通信履歴のハンドオーバー経路識別子が同一であることを示しているならば、最も遅いハンドオーバー実行時刻までその停止を継続して不必要なハンドオーバーを避けるようにして消費電力の低減を図るものである。
【０００９】
【特許文献１】特開２００２−２３２９２９号公報
【特許文献２】特開２００４−２２８７８１号公報
【特許文献３】特開平７−２５０３６５号公報
【特許文献４】特開２００１−１１９７４２号公報
【特許文献５】特開２００４−１２９００１号公報
【発明の開示】
【発明が解決しようとする課題】
【００１０】
上述のＷＣＤＭＡ無線システム例のセル配置（図１１）において、セルＢ、Ｃ、Ｄは、検出済みのモニターセルで、セルＥ、Ｆ、Ｇは未検出セルであるとする。
上述のセルＡからセルＣへのセルリセルを行う場合に、モニターセルＢ、Ｃ、Ｄについてそれらの電界強度を定期的に測定する必要がある。その測定を頻繁に行うと、小型無線端末装置で消費される消費電流が増大してしまう。
消費電流の増大を回避しようとしてモニター頻度を減らすと、セルリセルに支障がでて、小型無線端末装置が圏外となってしまうか、若しくは電波状態の悪いセルをアクティブセルとして待ち続けると、発呼又は着呼の成功率が悪化することがある。
【００１１】
上述とは逆に、小型無線端末装置がセルＡからセルＦの方へ移動するとすると、セルＦは未検出セルであるため、セルリセルに先立って、セルＦの検出を行う必要がある。
セルＦの検出のため、未検出セルのセルサーチを頻繁に行うと、小型無線端末装置で消費される消費電流の増大となる。そこで、セルサーチの頻度を減らすと、セルリセルをする対象セルが無くなり、圏外となってしまう。
【００１２】
上記説明は、間歇待ち受け中についてであるが、通信中の場合には、ハンドオーバーの相手先セルのアクティブセルへの追加が遅れ、ハンドオーバーの安定性が悪くなるという技術的課題がある。
【００１３】
上記ＷＣＤＭＡ無線システム例もそうであるが、いずれの上記特許文献も、過去の履歴を考慮に入れているが、その履歴は基地局からの電波状態のモニターに何ら反映されていない。
上述したハンドオーバーには、基地局からの電界強度（電波状態）を測定する必要がある。その測定（モニター）は、周辺セルのうちの電界強度が所定の値以上のセルについて行う必要があるばかりでなく、周辺セルであって電界強度が所定の値未満のセル（未検出セル）についても移動無線端末装置の移動で電界強度が大きくなってその電界強度が所定の値以上になって来ることがあるので行う必要がある。
【００１４】
これは、ハンドオーバー、すなわち、在圏セル（アクティブセル）と、周辺セルのうちのセル検出がされているセル（モニターセル）との入れ替え（セルリセル）を円滑に行うためである。
未検出セルについては、上記測定だけでなく、セルサーチ、すなわち、タイミング（同期）が不明である未検出セルのタイミングを取った後に、電界強度の測定を行う必要がある。
【００１５】
その測定は、従来、定期的に行われている。測定を頻繁に行うと、上記ＷＣＤＭＡシステム例で述べたように消費電流が増大する。これは、モニターセルについて言えることだけではなく、未検出セルについても言えることである。
そして、消費電流を削減しようとして、モニター頻度を減らすと、電波状態の悪いセルを在圏セルとして待ち続けるため、発呼又は着呼の成功率が悪化したり、セルリセルをする対象セルが見つけ難くなったり、移動無線端末装置が圏外となってしまう。
これらのことは、間歇待ち受け中についてのことであるが、通話中の場合には、ハンドオーバーの相手セルのアクティブセルへの追加が遅れてハンドオーバーの安定性を悪くしてしまうことになる。
【００１６】
いずれにしても、電界強度のモニター頻度を単純に減らしてしまうと、上述したような不具合が顕れて来てしまうので、良策ではない。
このことについては、上記のいずれの特許文献も、電界強度のモニターと消費電力とについては触れられていない。
【００１７】
この発明は、上述の事情に鑑みてなされたもので、電波状態のモニターを低消費電力で行い得る電波状態モニター方法及びその装置、これを用いたセルリセル方法及びその装置、移動無線装置並びにその制御プログラムを提供することを目的としている。
【課題を解決するための手段】
【００１８】
上記課題を解決するために、請求項１記載の発明は、移動無線装置が圏在するアクティブセルのセルリセルを行うのに先立って、上記周辺セルの電波状態をモニターする電波状態モニター方法に係り、上記アクティブセルのセルリセル履歴の統計処理を含むことを特徴としている。
【００１９】
請求項２記載の発明は、移動無線装置が圏在するアクティブセルのセルリセルを行うのに先立って、上記周辺セルの電波状態をモニターする電波状態モニター方法に係り、上記アクティブセルのセルリセル履歴を統計処理し、上記統計処理に基づいて上記アクティブセル周辺のセル毎のモニター頻度情報を算定し、上記アクティブセル周辺の上記セルの電波状態のモニターを上記モニター頻度情報に基づいて決められる頻度で行うことを特徴としている。
【００２０】
請求項３記載の発明は、請求項１又は２記載の電波状態モニター方法に係り、上記統計処理は、今回の上記セルリセル前の第１の所定回数の各回の上記セルリセルについて行うことを特徴としている。
【００２１】
請求項４記載の発明は、請求項３記載の電波状態モニター方法に係り、上記統計処理は、前前回及び前回の上記セルリセルについて行うことを特徴としている。
【００２２】
請求項５記載の発明は、請求項３又は４記載の電波状態モニター方法に係り、上記統計処理は、上記セルリセル毎に、前回アクティブセル、今回アクティブセル及び上記前回アクティブセル周辺のセルについては所定の順序で処理されることを特徴としている。
【００２３】
請求項６記載の発明は、請求項３、４又は５記載の電波状態モニター方法に係り、上記モニター頻度情報は、前回の上記アクティブセル及び今回の上記アクティブセルで上記統計処理を参照して算定することを特徴としている。
【００２４】
請求項７記載の発明は、請求項６記載の電波状態モニター方法に係り、上記モニター頻度情報は、前前回の上記アクティブセル及び前回の上記アクティブセルで上記統計処理を参照し、上記アクティブセル周辺の各セルのセルリセル総数に対する上記アクティブセル周辺の上記セル毎のセルリセル数から算定される遷移確率であることを特徴としている。
【００２５】
請求項８記載の発明は、請求項１又は２記載の電波状態モニター方法に係り、上記統計処理は、通話中の上記セルリセルをアクティブセル群内の電波状態が最もよい上記アクティブセルへ行うようにし、当該セルリセル毎に今回の上記セルリセル前の第１の所定回数の各回の上記セルリセルについて行ことを特徴としている。
【００２６】
請求項９記載の発明は、請求項８記載の電波状態モニター方法に係り、上記統計処理は、通話中の上記セルリセルをアクティブセル群内の電波状態が最もよい上記アクティブセルへ行うようにし、当該セルリセル毎に今回の上記セルリセル前の前前回及び前回の上記セルリセルについて行うことを特徴としている。
【００２７】
請求項１０記載の発明は、請求項８又は９記載の電波状態モニター方法に係り、上記モニター頻度情報は、前回の上記アクティブセル及び今回の上記アクティブセルで上記統計処理を参照して算定することを特徴としている。
【００２８】
請求項１１記載の発明は、請求項８、９又は１０記載の電波状態モニター方法に係り、電波状態が最もよい上記アクティブセルがあるとき、上記周辺セルのアクティブセルへの組み入れの際に、上記モニター頻度情報の値が最も高い上記周辺セルについての電波状態のしきい値を下げることを特徴としている。
【００２９】
請求項１２記載の発明は、請求項８、９又は１０記載の電波状態モニター方法に係り、電波状態が最もよい上記アクティブセルがあるとき、上記未検出セルの周辺セルへの組み入れの際に、上記モニター頻度情報の値が最も高い上記未検出セルについての電波状態のしきい値を下げることを特徴としている。
【００３０】
請求項１３記載の発明は、移動無線装置が圏在するアクティブセルのセルリセルを行うのに先立って、上記周辺セルの電波状態をモニターする電波状態モニター装置に係り、上記アクティブセルのセルリセル履歴の統計処理手段を含むことを特徴としている。
【００３１】
請求項１４記載の発明は、移動無線装置が圏在するアクティブセルのセルリセルを行うのに先立って、上記周辺セルの電波状態をモニターする電波状態モニター装置に係り、上記アクティブセルのセルリセル履歴の統計処理手段と、該統計処理手段によって得られた上記統計処理に基づいて上記アクティブセル周辺のセル毎のモニター頻度情報を算定する算定手段と、上記アクティブセル周辺の上記セルの電波状態のモニターを、上記算定手段によって算定された上記モニター頻度情報に基づいて決められる頻度で行うモニター実行手段とを備えることを特徴としている。
【００３２】
請求項１５記載の発明は、請求項１３又は１４記載の電波状態モニター装置に係り、上記統計処理手段は、前前回及び前回の上記セルリセルについて統計処理を行うことを特徴としている。
【００３３】
請求項１６記載の発明は、請求項１５記載の電波状態モニター装置に係り、上記算定手段は、前回の上記アクティブセル及び今回の上記アクティブセルで上記統計処理を参照して上記モニター頻度情報を算定することを特徴としている。
【００３４】
請求項１７記載の発明は、請求項１６記載の電波状態モニター装置に係り、上記算定手段により算定される上記モニター頻度情報は、上記統計処理手段によって求められた上記統計処理を参照し、上記アクティブセル周辺の各セルのセルリセル総数に対する上記アクティブセル周辺の上記セル毎のセルリセル数から算定される遷移確率であることを特徴としている。
【００３５】
請求項１８記載の発明は、請求項１３、１４又は１５記載の電波状態モニター装置に係り、上記統計処理手段は、上記統計処理は、通話中の上記セルリセルをアクティブセル群内の電波状態が最もよい上記アクティブセルへ行うようにし、当該セルリセル毎に今回の上記セルリセル前の前前回及び前回の上記セルリセルについて上記統計処理を行うことを特徴としている。
【００３６】
請求項１９記載の発明は、請求項１８記載の電波状態モニター装置に係り、上記算定手段は、前回の上記アクティブセル及び今回の上記アクティブセルで上記統計処理を参照して上記モニター頻度情報を算定することを特徴としている。
【００３７】
請求項２０記載の発明は、請求項１８又は１９記載の電波状態モニター装置に係り、上記モニター実行手段は、電波状態が最もよい上記アクティブセルがあるとき、上記周辺セルのアクティブセルへの組み入れの際に、上記モニター頻度情報の値が最も高い上記周辺セルについての電波状態のしきい値を下げることを特徴としている。
【００３８】
請求項２１記載の発明は、請求項２０又は２１記載の電波状態モニター装置に係り、上記モニター実行手段は、電波状態が最もよい上記アクティブセルがあるとき、上記未検出セルの周辺セルへの組み入れの際に、上記モニター頻度情報の値が最も高い上記未検出セルについての電波状態のしきい値を下げることを特徴としている。
【００３９】
請求項２２記載の発明は、移動無線装置が圏在するアクティブセル周辺のセルの電波状態をモニターして上記アクティブセルのセルリセルを行うセルリセル方法に係り、上記セルの電波状態をモニターするのに請求項1乃至１２のいずれか一に記載の電波状態モニター方法を用いることを特徴としている。
【００４０】
請求項２３記載の発明は、移動無線装置が圏在するアクティブセル周辺のセルの電波状態をモニターして上記アクティブセルのセルリセルを行うセルリセル装置に係り、上記セルの電波状態をモニターするのに請求項１３乃至２１のいずれか一に記載の電波状態モニター装置を用いることを特徴としている。
【００４１】
請求項２４記載の発明は、移動無線システムを構成する複数のセルのうちの任意のセルの基地局と無線通信を行う際に必要なセルリセル手段を有する移動無線装置に係り、上記セルリセル手段を請求項２３記載のセルリセル装置で構成することを特徴としている。
【００４２】
請求項２５記載の発明は、コンピュータに請求項１乃至１２のいずれか一に記載の電波状態モニター方法を実行させることを特徴とする制御プログラムに係る。
【００４３】
請求項２６記載の発明は、コンピュータに請求項１３乃至２１のいずれか一に記載の電波状態モニター装置を制御させることを特徴とする制御プログラムに係る。
【００４４】
請求項２７記載の発明は、コンピュータに請求項２２記載のセルリセル方法を実行させることを特徴とする制御プログラムに係る。
【００４５】
請求項２８記載の発明は、コンピュータに請求項２３記載のセルリセル装置を制御させることを特徴とする制御プログラムに係る。
【００４６】
請求項２９記載の発明は、コンピュータに請求項２４記載の移動無線装置を制御させることを特徴とする制御プログラムに係る。
【発明の効果】
【００４７】
この発明によれば、移動無線装置が圏在するアクティブセルのセルリセルを行うのに先立っての、周辺セルの電波状態のモニターにアクティブセルのセルリセル履歴の統計処理を含ませて構成されるから、電波状態のモニターに要する消費電流の低減に役立つ。
そして、統計処理した結果をアクティブセル周辺のセル毎のモニター頻度情報の算定に利用し、得られたモニター頻度情報に基づいて決められる頻度でアクティブセル周辺のセルの電波状態をモニターするようにしているから、電波状態のモニターに要する消費電流を削減できるし、移動無線装置の連続待ち受け時間の長時間化を達成し得る。
【００４８】
また、従来よりも未検出セルのサーチの回数及びモニターセルの測定回数を低減しても、移動無線装置を圏外とさせてしまう確率を低減させ得る。
また、未検出セルの周辺セルへの組み入れ又は周辺セルのアクティブセルへの組み入れに際して、モニター頻度情報の値が最も高いセルの電波状態しきい値を他のセルより下げてセルサーチ及び測定を行うようにすると、上記効果を継受しつつ、ハンドオーバーの安定性を向上させることができる。
【発明を実施するための最良の形態】
【００４９】
この発明は、移動無線装置が圏在するアクティブセルのセルリセルを行うのに先立っての、周辺セルの電波状態のモニターに、アクティブセルのセルリセル履歴の統計処理を行い、統計処理の結果からアクティブセル周辺のセル毎のモニター頻度情報を算定し、得られたモニター頻度情報に基づいて決められる頻度でアクティブセル周辺のセルの電波状態をモニターするようにして構成される。
【実施例１】
【００５０】
図１は、この発明の実施例１である小型無線端末装置に装備される電界強度モニター装置の電気的構成を示す図、図２は、同電界強度モニター装置の電界強度モニター手順を示すフローチャート、図３は、同電界強度モニター装置での遷移確率の算出に用いる遷移履歴リストの記憶例を示す図、図４は、同電界強度モニター装置での電界強度のモニター回数の決定に用いる遷移確率リストを示す図、図５は、同電界強度モニター装置を搭載する小型無線端末装置を含む移動無線システムにおけるセルの平面的配置の具体例を示す図、図６は、同移動無線システムにおけるセルの平面的配置の具体例での第１のセルリセル例における遷移確率リストを示す図、図７は、同移動無線システムにおけるセルの平面的配置の具体例での第２のセルリセル例における遷移確率リストを示す図、また、図８は、同移動無線システムにおけるセルの平面的配置の具体例での第３のセルリセル例における遷移確率リストを示す図である。
【００５１】
この実施例の小型無線端末装置の電界強度モニター装置１０は、今回のアクティブセル（在圏セル）からセルリセルを行うに先立って電波状態（電界強度）を測定するが、その測定回数を、周辺セルであって電界強度が予め決められた値以上の周辺セルの各々についての遷移履歴（セルリセル履歴）から得た遷移確率に基づいて決定して電界強度の測定を行う装置に係り、図１に示すように、小型無線端末装置１２のアンテナ１４に接続された無線回路１６と、ＣＰＵ１８と、メモリ２０とから概略構成されている。小型無線端末装置１２（以下、無線端末という）は、アンテナ１２と基地局３０側のアンテナ３２との間を電波で結んで無線端末１２と基地局３０との間に無線回線が形成される。
【００５２】
無線回路１６は、アンテナ１２で受信する電波に含まれる情報をデジタル化してＣＰＵ１８へ転送する。その情報には、周辺セル(の基地局)からの電界強度（電波状態）を示す電界強度情報（デジタル値）（以下、単に電界強度ともいう）、基地局３０からの報知情報があるほか、基地局３０と無線端末１２との間の同期が取れているか否かのタイミング情報（スロットの境界を示す情報）等も含まれる。これらの情報は、基地局３０から受信される電波から公知の技法でデジタル情報として得られる。
【００５３】
ＣＰＵ１８は、無線回路１６から受け取る報知情報に基づく周辺セルの電界強度の測定（モニター）、測定結果に基づいた遷移履歴リストの作成及び遷移履歴に基づいた遷移確率リストの作成を行う。
遷移履歴リストは、図３に示すように、各回の遷移（セルリセル）（例えば、図３の今回セル、前回セル、前前回セル）毎に、前回のアクティブセルのセルリセルを縦欄の最上位横欄に書き込み、最上位横欄の直ぐした横欄に今回のアクティブセル（遷移が生じたときの遷移先のセル）のセルリセルを書き込み、以下の横欄に基地局から通知された報知情報で指定される周辺セルであって電界強度が予め決められた値以上のセルの各々のセルリセルを書き込むようにして作成される。
遷移確率リストは、図４に示すように、前前回及び前回の遷移から得られる遷移履歴リストの前回の縦欄を前回のセルリセル及び今回のセルリセルで参照してセルリセルが行われた総数に対する各セルのセルリセル回数から各セルの遷移確率（電波状態モニター頻度）をアクティブセル毎に記憶するようにして作成される。
【００５４】
これらの測定、作成は、図２に示す処理手順を実行するプログラムがメモリ２０（不揮発性の記憶手段）に記憶されており、そのプログラムをＣＰＵ１８が読み出してＣＰＵ１８で実行することによって行われるが、このことが電界強度モニター装置１０の主要部を構成する。
メモリ２０は、ＣＰＵ１８で作成される各リストを記憶する。
【００５５】
次に、図1乃至図８を参照して、この実施例の動作について説明する。
無線端末１０の電源が投入されて（図２のＳ１）周波数チャネルのサーチ（バンドサーチ）により周波数チャネルの捕捉がＣＰＵ１８の制御の下に無線回路１６を介して行われ（図２のＳ２）、そのチャネルを介して無線端末１０の位置登録が在圏セルの基地局３０に行われる（図２のＳ３）。
無線端末１０の位置登録が行われ、位置登録を行った基地局３０から無線端末１０に通知されて来た報知情報の中のアクティブセル識別情報に基づいてそのアクティブセルからの電界強度の測定をＣＰＵ１８の制御の下に無線回路１６を介して行う（図２のＳ４）。セルの識別は、ＷＣＤＭＡ方式の場合は、信号をスクランブルしているコードに基づいて行う。
このアクティブセルについての電界強度の測定は、例えば、定期的に行う。
【００５６】
また、上記報知情報の中のモニターセル識別情報に基づいてそのモニターセルからの電界強度のモニター（以下、電界強度の測定乃至はセル測定ともいう）をＣＰＵ１８の制御の下に無線回路１６を介して行う（図２のＳ５）。
このモニターセルについての電界強度の測定は、遷移確率リストを参照してその遷移確率がいずれの遷移確率範囲にあるかに従って、当該遷移確率範囲の遷移確率で予め決められた頻度（例えば、何回かの上記定期的測定毎となる頻度）で行う、すなわち、セル測定を遷移確率に従った優先順位で、かつ、優先順位が低いほど定期的測定の間引き率を高くして行う。
【００５７】
ここでの説明の都合上、図５に示すように、圏外からセルＣを通ってセルＡに在圏しているものとして以下の説明を行う。
例えば、上述の報知情報において、図３の前回の欄に示すように、セルＡ乃至セルＧが通知されており、そのうちの今回のアクティブセルがセルＡであることを示し、モニターセルがセルＢ、Ｃ、Ｄ及びＦであることを示しており、セルＣは前回のセル測定においてはアクティブセルであったとした場合の遷移確率リストが、図４に示すようになっているとすると、モニターセルＦについてのセル測定は、毎回行い、その他のモニターセルについてのセル測定は、予め決められた数の定期的測定毎に行う。
これにより、上記測定で費やされる消費電流の消費回数を低減することができる。したがって、無線端末１０のバッテリーの消耗度合を低減できる。
【００５８】
なお、モニターセルについての測定において、それまでモニターセルであったセルからの電界強度が、無線端末１０の移動により、予め決められた値未満へ低下しているならば、未検出セルとして基地局３０で管理している報知情報の更新を行うように、その旨を基地局３０に通知する。
【００５９】
これに加えて、上記報知情報の中の未検出セル識別情報に基づいてその未検出セルからの電界強度の測定をＣＰＵ１８の制御の下に無線回路１６を介して行う（図２のＳ６）。
但し、この場合には、その測定に先立って、未検出セルの基地局３０と無線端末１０とのタイミングの補正、すなわち、同期化の処理を従来方式の下で行う。
上記未検出セルにおける測定は、その測定前においては未検出セルであったが、無線端末１０の移動によって電界強度が増してその未検出セルが他のモニターセルと同等の地位に来ているならばその未検出セルをモニターセルに組み入れるために行われる。この組み入れの基準は、未検出セルからの電界強度が他のモニターセルの電界強度と同程度にあることを条件とする。
この未検出セルについての電界強度の測定においても、モニターセルの場合と同様、電界強度の測定を遷移確率に従った優先順位で、かつ、優先順位が低いほど定期的測定の間引き率をモニターセルの場合よりも高くして行う。
【００６０】
例えば、上述の報知情報において、図３の前回の欄に示すように、今回のアクティブセルがセルＡであることを示し、モニターセルがセルＢ、Ｃ、Ｄ及びＦであることを示し、未検出セルがＥ、Ｇであることを示しており、セルＣは前回のセル測定においてはアクティブセルであったとした場合の遷移確率リストが、図４に示すようになっているとすると、未検出セルＥ、Ｇについてのセル測定は、遷移確率に応じた間引き率で行う。
これにより、未検出セルについての上記測定で費やされる消費電流の消費回数をさらに低減することができる。したがって、無線端末１０のバッテリーの消耗度合をさらに低減できる。
【００６１】
なお、未検出セルについての測定において、それまで未検出セルであったセルからの電界強度が、無線端末１０の移動により、予め決められた値以上へ上昇しているならば、報知情報を管理している基地局３０へその旨を通知して報知情報の更新を行う。
【００６２】
上述のようにして測定された電界強度が、依然として、アクティブセルの方がモニターセルよりも大きいならば（図２のＳ７のアクティブセル＞モニターセル）、アクティブセルについての測定からの動作手順を繰り返す（Ｓ７のアクティブセル＞モニターセル、Ｓ４、Ｓ５、Ｓ６ののループ）。
【００６３】
逆に、上述のようにして測定された電界強度が、モニターセルの方がアクティブセルよりも大きくなっているならば（図２のＳ７のアクティブセル＜モニターセル）、セルリセルの処理、すなわち、アクティブセルとモニターセルとの入れ替えを行う（Ｓ８）。
【００６４】
このセルリセル処理は、ＣＰＵ１８の制御によって行われる。セルリセル処理には、次のような処理、すなわち、遷移履歴の学習が行われる。遷移履歴の学習は、第１には、遷移履歴リストの更新であり、第２には、遷移確率リストの更新である。
遷移履歴リストの更新は、次のようにして行われる。例えば、前前回のセル測定において、アクティブセルがセルＣからセルＡに入れ替わり（セルリセルが発生し）、前回までの遷移履歴の統計処理から得られる遷移確率は、図４に示すような確率分布をしているものとする。
【００６５】
上記にいう統計処理は、例えば、遷移履歴リストの前回のセル測定までのセルリセルを記憶する縦欄、すなわち、前回のセルリセルを記憶する横欄にセルＣを記憶させ、今回のセルリセルを記憶する横欄にセルＡを記憶させる、つまり学習を行わせると共に、前回の縦欄を前回のセルリセル及び今回のセルリセルで参照して当該縦欄の各横欄に記憶されているセルリセルの数の合計に対する各横欄の同一セルのセルリセル回数の割合を遷移確率として算出することからなる。図４は、このようにして作成されたものである。
【００６６】
上述した無線端末１０の動作状態において、上述したようにして、アクティブセルＡの測定（図２のＳ４）、モニターセルＢ、Ｃ、Ｄ、Ｆの測定（図２のＳ５）、そして未検出セルＥ、Ｇのサーチ（図２のＳ６）が行ったとき、アクティブセルＡの電界強度よりも大きいセルであるとの判定が得られ（図２のＳ７）、その判定で複数のセルがアクティブセル候補として挙げられていると仮定する。
アクティブセル候補のうちの電界強度が一番大きいセルがモニターセルＦであるとき、そのモニターセルＦへの遷移、すなわち、セルリセルが行われる。
【００６７】
以下、具体的な例について説明する。この例は、無線端末１０が、図５に示すように、幹線道路５０１に沿ってＷＣＤＭＡ方式におけるサービス圏外からセルＣ内に入り、セルＡ、セルＦを通って再びサービス圏外へ移動するまでの、無線端末１０の待ち受け中の動作について説明する。
上記の移動において、無線端末１０は、ＷＣＤＭＡ方式におけるサービス圏外からセルＣへの移動において、セルＣに入っているか否かの判定のためのバンドサーチを実施しつつ、セルＣへ移動して行く。
【００６８】
このバンドサーチにおいて、セルＣを検出すると、無線端末１０はセルＣに入った旨の位置登録を行い、間歇待ち受け状態へ遷移する。
間歇待ち受け状態となる無線端末１０は、セルＣをアクティブセルとしてセルＣの報知情報（セルＣの基地局３０から送られて来る報知情報）を下に周辺セルであるセルＡ、セルＢ、セルＤをＣＰＵ１８の制御の下に無線回路１６を介してサーチする。
ここで、上記間歇待ち受け状態への遷移時点において、圏外からセルＣへ位置登録をした無線端末１０が、それまでにおいて、すなわち、過去において学習して記憶している遷移確率リストは、図６に示すようなものであったとする。
【００６９】
図６から明らかなように、無線端末１０の位置登録を圏外からセルＣにした場合に、次のセルリセルでアクティブセルと成り得る遷移確率の最も高いセルは、セルＡであることが判る。
これは、無線端末１０を使用しているユーザが幹線道路５０１に沿って移動していることが多いためである。
無線端末１０による周辺セルの検出のためのセルサーチは、図６に示す遷移確率の大きい順に行う。
【００７０】
また、周辺セル検出後の周辺セルのモニターにおいても、図６に示す遷移確率の順に優先順位を付けて周辺セルの測定を行う。
この周辺セルの測定は、図２について説明したうに、セルＡについては定期的測定毎に、そしてセルＢ、セルＤについては遷移確率の値に応じて予め決められている頻度、すなわち、予め決められている回数毎の定期的測定において行う。
【００７１】
そして、無線端末１０が幹線道路に沿ってセルＣからセルＡへ移動して行くとする。この場合の動作について説明する。
この場合に行われる未検出セルのサーチ及びモニターセルの測定も、上述したと同様に、遷移確率に従った優先順位で順次行われる。
その測定及びサーチにおいて、無線端末１０がセルＡに近づくと、セルＣから届く電波の電界強度が弱くなる一方、セルＡから届く電波の電界強度が強くなる。したがって、セルＣとセルＡとの境界付近でセルＣからの電界強度とセルＡからの電界強度とは逆転する。
無線端末１０がセルからの電界強度の逆転を検出すると、セルリセル、すなわち、アクティブセルのセルＣからセルＡへの入れ替えが行われる。
【００７２】
上記セルリセルでアクティブセルとなったセルＡの基地局３０から無線端末１０に送られて来る報知情報には、周辺セルとして、セルＢ、セルＣ、セルＤ、セルＥ、セルＦ及びセルＧの６つのセルが含まれている。
これら６つの周辺セルのうち、検出済みとなっているセルは、元アクティブセルのセルＣと、元の周辺セルのセルＢとセルＤである。残りのセル、すなわち、セルＥ、セルＦ及びセルＧは、この時点では未検出セルである。
【００７３】
そして、上記セルリセルが行われたとき、すなわち、セルＡがアクティブセルとなったときに、上述した遷移履歴リストの更新と、遷移確率リストの更新とがＣＰＵ１８の処理の中で行われる。
上記セルリセルにより、遷移確率リストは、図７に示すように更新されたとする。
【００７４】
その後、さらに、無線端末１０が幹線道路に沿ってセルＡからセルＦへ移動して行くとする。この場合の動作について説明する。
この場合に行われるモニターセルの測定及び未検出セルのサーチも、上述したと同様に、遷移確率に従った優先順位で順次行われる。
その測定及びサーチにおいて、無線端末１０がセルＦに近づくと、セルＡから届く電波の電界強度が弱くなる一方、セルＦから届く電波の電界強度が強くなる。したがって、セルＡとセルＦとの境界付近でセルＡからの電界強度とセルＦからの電界強度とは逆転する。
無線端末１０がセルからの電界強度の逆転を検出すると、セルリセル、すなわち、アクティブセルのセルＡからセルＦへの入れ替えが行われる。
【００７５】
上記セルリセルでアクティブセルとなったセルＦの基地局３０から無線端末１０に送られて来る報知情報には、周辺セルとして、セルＡ、セルＥ、セルＧが含まれている。
そして、上記セルリセルが行われたとき、すなわち、セルＦがアクティブセルとなったときに、上述した遷移履歴リストの更新と、遷移確率リストの更新とがＣＰＵ１８の処理の中で行われる。
上記セルリセルにより、遷移確率リストは、図８に示すように更新されたとする。
【００７６】
図８から判るように、セルＡからセルＦへセルリセルが行われたときのセルＡ、セルＥ及びセルＧの遷移確率は同率である。
この場合には、無線端末１０は、周辺セルのサーチ、電界強度の測定には、特に優先順位を付けずに、サーチ及び測定の各々を行う。
こうして、無線端末１０がセルＦから圏外へ移動すると、遂には、セルＦからの電界強度はしきい値以下となり、ほかに電界強度の強いセルがないため、圏外となる。
【００７７】
上述したいずれの在圏セル（アクティブセル）においても、周辺セルのセルサーチ及びそのサーチ後の測定を前回までのセルリセル履歴、すなわち、遷移履歴に基づいて統計的に算定される遷移確率の高いセルから優先的に行うようにしている。
これにより、周辺セルのセルサーチの回数及びそのサーチ後の測定の回数の低減となるから、無線端末１０で費される消費電流は削減され得ると共に、無線端末１０の連続待ち受け時間は長くすることができる。
また、周辺セルのセルサーチの回数及びそのサーチ後の測定回数が低減することになるが、その測定回数の低減があっても、無線端末１０を圏外とさせてしまう確率を低減させ得る。
【００７８】
このように、この実施例の構成によれば、いずれの在圏セル（アクティブセル）における周辺セルのセルサーチ及びそのサーチ後の測定を、前回までのセルリセル履歴、すなわち、遷移履歴に基づいて統計的に算定される遷移確率の高いセルから優先的に行うから、未検出セルのサーチの回数及びモニターセルの測定回数の低減により、無線端末１０で費される消費電流の削減と共に、無線端末１０の連続待ち受け時間の長時間化を達成し得る。
また、従来よりも未検出セルのサーチの回数及びモニターセルの測定回数を低減しても、無線端末１０を圏外とさせてしまう確率を低減させ得る。
【実施例２】
【００７９】
図９は、この発明の実施例２である小型無線端末装置に装備される電界強度モニター装置の電気的構成を示す図、また、図１０は、同電界強度モニター装置の電界強度判定手順を示すフローチャートである。
この実施例の構成が、実施例１のそれと大きく異なる点は、遷移履歴を求めてセルリセルを行うに当たって、未検出セルのモニターセルへの追加（組み入れ）のために遷移確率が最も大きい未検出セルの電界強度しきい値を他の未検出セルの電界強度しきい値より低く設定し、モニターセルのアクティブセルへの追加のために遷移確率が最も大きいモニターセルの電界強度しきい値を遷移確率が小さいアクティブセルの電界強度しきい値よりも低く設定するようにした点である。
【００８０】
すなわち、この実施例の電界強度判定装置１０Ａは、図９に示すように、ＣＰＵ１８での未検出セルのサーチにおける遷移確率が最も大きい未検出セルの電界強度しきい値を他の未検出セルの電界強度しきい値より低く設定すると共に、ＣＰＵ１８Ａでのモニターセルの測定における遷移確率が最も大きいモニターセルの電界強度しきい値を遷移確率の低いモニターセルの電界強度しきい値よりも低く設定するようにして構成される。
この構成以外のこの実施例の構成は、実施例１と同じであるので、同一の構成部分には同一の参照符号を付して、その逐一の説明は省略する。
【００８１】
次に、図５乃至図９を参照して、この実施例の動作について説明する。
この実施例の動作を、次のような無線端末１０の移動例におけるハンドオーバー時の動作について説明する。
この移動例は、無線端末１０が、図５に示すように、幹線道路５０１に沿ってＷＣＤＭＡ方式におけるサービス圏外からセルＣ内に入り、セルＡ、セルＦを通って再びサービス圏外へ移動するまでの、無線端末１０の通話中の動作について説明する。
上記の移動において、無線端末１０は、ＷＣＤＭＡ方式におけるサービス圏外からセルＣへの移動において、セルＣに入っているか否かの判定のためのバンドサーチを実施しつつ、セルＣへ移動して行く。
【００８２】
このバンドサーチにおいて、セルＣを検出すると、無線端末１０はセルＣに入った旨の位置登録を行い、間歇待ち受け状態へ遷移する。
その後、発呼又は着呼することにより、通話状態へ遷移する。
通話状態となると、無線端末１０は、セルＣをアクティブセルとしてセルＣの報知情報（セルＣの基地局３０から送られて来る報知情報）を下に周辺セルであるセルＡ、セルＢ、セルＤをＣＰＵ１８の制御の下に無線回路１６を介してサーチする。
ここで、上記通話状態への遷移時点において、圏外からセルＣへ位置登録をした無線端末１０が、当該位置登録前、すなわち、過去において学習して記憶している遷移確率リストは、図６に示すようなものであったとする。
【００８３】
図６から明らかなように、無線端末１０の位置登録を圏外からセルＣにした場合に、次のセルリセルでアクティブセルと成り得る遷移確率の最も高いセルは、セルＡであることが判る。
周辺セルとして、セルＡを検出していない場合には、無線端末１０による周辺セルの検出のためのセルサーチは、図６に示す遷移確率の大きい順に行う。このセルサーチは、図２について説明したように、遷移確率の最も高いセルＡのサーチを優先的に、例えば、定期的測定毎に、毎回行う。
このセルＡのサーチにおいては、遷移確率の最も高いセルにおけるサーチでの電界強度しきい値αを変更して、すなわち、他のセルＢ、セルＤの電界強度しきい値よりも低く設定する。これにより、セルＡの検出がし易くなる。
そしてセルＢ、セルＤについては遷移確率の値に応じて予め決められている頻度、すなわち、予め決められている回数毎の定期的測定において行う。これらのセルについては、電界強度しきい値の変更は行わない。
【００８４】
また、周辺セル検出後の周辺セルのモニターにおいても、図６に示す遷移確率の順に優先順位を付けて周辺セルの測定を行う。
この周辺セルの測定は、図２について説明したように、セルＡについては定期的測定毎に、毎回行う。
このセルＡの測定においては、遷移確率の最も高いセルにおけるセル測定での電界強度しきい値βを変更して、すなわち、他の検出されているセル、例えば、セルＢ、セルＤ等の電界強度しきい値よりも低く設定する。これにより、セルＡはアクティブセル候補になり易くなる。
【００８５】
このようにして、この発明を実施するＷＣＤＭＡ無線システムにおいても、セルＡのアクティブセルとしての追加、すなわち、アクティブセルへの組み入れの要求が無線端末１０からセルＣの基地局３０へ送出され、セルＡが次のセルリセルにおける遷移対象セルに追加される。
つまり、この発明を実施するＷＣＤＭＡ無線システムにおいても、通話中にアクティブセルを複数持つことができるから、従来の無線システムとは違い、ハンドオーバー時に瞬断が発生しないソフトハンドオーバーが可能になる。
したがって、セルＣからセルＡへのハンドオーバーの安定性が向上する。
そして、検出されているセルＢ、セルＤ等については、遷移確率の値に応じて予め決められている頻度、すなわち、予め決められている回数毎の定期的測定において行う。
【００８６】
そして、無線端末１０が幹線道路５０１に沿って移動すると、セルＣからセルＡへのセルリセルが行われるが、この場合の動作においても、圏外からセルＣへセルリセルが行われた上述の動作と同様の動作手順が執られる。その際に用いられる遷移確率は、圏外からセルＣへのセルリセルで得られた遷移履歴に基づいて算定され、その例は、上述したと同様であるとする。
【００８７】
この場合に、アクティブセルが上述のように複数となることもあるが、そのときの今回のアクティブセルは、電界強度の最も高いセルとされ、これを用いて遷移履歴リスト及び遷移確率リストが上述と同様にして作成される。
【００８８】
この場合に行われる未検出セルのサーチ及びモニターセルの測定も、上述したと同様に、遷移確率に従った優先順位で順次行われる。
これらサーチ及び測定における電界強度の判定に用いられる電界強度しきい値の設定も、上述したところに準じて行われる。
したがって、その処理により、セルＡのアクティブセル候補への組み入れがし易くなり、セルＡからセルＡへのハンドオーバーの安定性が向上する。
【００８９】
その後、さらに、無線端末１０が幹線道路５０１に沿ってセルＡからセルＦの方へ移動して行くが、その場合に行われる未検出セルのサーチ及びモニターセルの測定も、上述したと同様に、遷移確率に従った優先順位で順次行われる。
その際のサーチ及び測定における電界強度の判定に用いられる電界強度しきい値の設定も、上述したところに準じて行われる。
したがって、その処理により、セルＦのアクティブセル候補への組み入れがし易くなり、セルＡからセルＦへのハンドオーバーの安定性が向上する。
【００９０】
このように、この実施例の構成によれば、いずれの在圏セル（アクティブセル）における周辺セルのセルサーチ及びそのサーチ後の測定を、前回までのセルリセル履歴、すなわち、遷移履歴に基づいて統計的に算定される遷移確率の高いセルから優先的に行う際の、電界強度の判定に用いる電界強度しきい値を遷移確率の最も高いセルについて他のセルのそれよりも低く設定してセルサーチ及び測定を行うようにしているから、実施例１の効果を継受しつつ、ハンドオーバーの安定性を向上させることができる。
【００９１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、実施例においては、アクティブセル候補の中の最も電界強度の強いセルへの遷移について説明したが、遷移の決定要素として、電界強度以外の要素を考慮に入れて遷移を行わせるようにしてもよい。
上記実施例は、ＷＣＤＭＡ方式の下での実施例を説明したが、アクティブセルが複数となることがあるその他の方式にもこの発明を実施し得る。
また、上記実施例は、遷移履歴リストを前前回及び前回を下にして遷移確率を算定する例について説明したが、さらに過去に遡ったセルのセルリセルを考慮に入れて遷移確率を算定するようにしてもよい。
【産業上の利用可能性】
【００９２】
ここに開示している発明は、各種の小型無線端末装置、例えば、携帯電話機、ＰＤＡ等で利用し得る。
【図面の簡単な説明】
【００９３】
【図１】この発明の実施例１である小型無線端末装置に装備される電界強度モニター装置の電気的構成を示す図である。
【図２】同電界強度モニター装置の電界強度モニター手順を示すフローチャートである。
【図３】同電界強度モニター装置での遷移確率の算出に用いる遷移履歴リストの記憶例を示す図である。
【図４】同電界強度モニター装置での電界強度のモニター回数の決定に用いる遷移確率リストを示す図である。
【図５】同電界強度モニター装置を搭載する小型無線端末装置を含む移動無線システムにおけるセルの平面的配置の具体例を示す図である。
【図６】同移動無線システムにおけるセルの平面的配置の具体例での第１のセルリセル例における遷移確率リストを示す図である。
【図７】同移動無線システムにおけるセルの平面的配置の具体例での第２のセルリセル例における遷移確率リストを示す図である。
【図８】同移動無線システムにおけるセルの平面的配置の具体例での第３のセルリセル例における遷移確率リストを示す図である。
【図９】この発明の実施例２である小型無線端末装置に装備される電界強度モニター装置の電気的構成を示す図である。
【図１０】従来の移動無線システムのセルリセルにおける技術的課題を説明するために用いるセル配置図である。
【符号の説明】
【００９４】
１０、１０Ａ      電界強度モニター装置（電波状態モニター装置）
１２      無線端末
１４      アンテナ
１６      無線回路（モニター実行手段の一部）
１８、１８Ａ      ＣＰＵ（モニター実行手段の残部、統計処理手段の一部、算定手段）
２０      メモリ（統計処理手段の残部）
【図１】
2006165972.tif 000003
【図２】
2006165972.tif 000004
【図３】
2006165972.tif 000005
【図４】
2006165972.tif 000006
【図５】
2006165972.tif 000007
【図６】
2006165972.tif 000008
【図７】
2006165972.tif 000009
【図８】
2006165972.tif 000010
【図９】
2006165972.tif 000011
【図１０】
2006165972.tif 000012